(57)【要約】【課題】  一本軸のペンシルタイプのマルチ化粧具でも、三機能の化粧具を同時に備えたものはなく、このため三機能を達成するのには別部品で用意するしかなかった。【解決手段】  化粧軸１の一端に棒状化粧品の収納部を挿入してなるペンシル部材３と、他端に付属の化粧具の保持部を備えてなるマルチ化粧具において、上記他端の化粧具が互いに反対方向に設けられた化粧具８、９の二機能部材７を有し、これら二機能部材７が一体的に構成されかつ化粧軸１に着脱自在に設けられてなる。【選択図】図１
2005095466.tif 000002
【特許請求の範囲】
【請求項１】
化粧軸の一端に棒状化粧品を繰り出すペンシル部材を備え、他端に付属の化粧具を備えたマルチ化粧具において、上記他端の化粧具が互いに反対方向に設けられた化粧具からなる二機能部材からなり、これら二機能部材が一体的に構成されかつ化粧軸に着脱自在に設けられてなることを特徴とするマルチ化粧具。
【請求項２】
前記化粧軸の後部内周にめねじが形成され、他方二機能部材の中間部外周におねじが形成されてなり、二機能部材と化粧軸とが螺合されてなる請求項１記載のマルチ化粧具。
【請求項３】
前記二機能部材が化粧軸に着脱自在に嵌合されてなる請求項１記載のマルチ化粧具。
【請求項４】
前記化粧軸が両端から等距離の内周に同一の環状溝をそれぞれ形成してなり、これらの環状溝にペンシル部材を構成する先軸の嵌合突起と二機能部材の嵌合突起とをそれぞれ回転自在に嵌合してなる請求項３記載のマルチ化粧具。
【請求項５】
二機能部材の中間外周にはＯリングが取り付けられており、このＯリングに離間した外壁に嵌合突起が形成されてなり、この嵌合突起に対応する化粧軸の内周には環状溝が形成され、上記嵌合突起が化粧軸内に挿入されると環状溝内に嵌合してなる請求項３記載のマルチ化粧具。
【請求項６】
前記ペンシル部材がアイブローを備え、かつ二機能部材が化粧軸内に収納されるシャープナーと、スクリュードライバーとを備えてなる請求項２または３記載のマルチ化粧具。
【請求項７】
前記ペンシル部材がアイライナーを備え、かつ二機能部材が化粧軸内に収納されるシャープナーとアイライナーチップとを備えてなる請求項２または３記載のマルチ化粧具。
【請求項８】
前記ペンシル部材がリップライナーを備え、かつ二機能部材が化粧軸内に収納されるシャープナーとリップブラシとを備えてなる請求項２または３記載のマルチ化粧具。
【発明の詳細な説明】
【技術分野】
【０００１】
この発明は、一本の化粧軸において棒状化粧品を繰り出すペンシルタイプの化粧具の後方に着脱自在に設けられた複数の化粧具を備えたマルチ化粧具に関する。
【背景技術】
【０００２】
従来のマルチ化粧具は、例えば化粧軸の一端に棒状化粧品を備えたペンシルタイプの化粧具と他端にブラシ等の化粧具とを備え、化粧具全体として二機能のものが種々提案されていた。
【０００３】
【特許文献１】特開平８−１３１２５１公報
【特許文献２】特開２００１−１９０３２６公報
【発明の開示】
【発明が解決しようとする課題】
【０００４】
この発明が解決しようとする問題は、一本の化粧軸によって三機能を備えた化粧具を実現するマルチ化粧具を提供することを目的とする。
【課題を解決するための手段】
【０００５】
この発明によれば、化粧軸の一端に棒状化粧品を繰り出すペンシル部材からなる化粧具を備え、他端に付属の化粧具を備えたるマルチ化粧具において、上記他端の化粧具が互いに反対方向に設けられた複数の化粧具からなる二機能部材からなり、これら二機能部材が一体的に構成されかつ化粧軸に着脱自在に設けられてなるマルチ化粧具が得られる。
【０００６】
当該化粧軸の後部内周にめねじが形成され、他方これに対応して二機能部材の中間部外周におねじが形成されてなるマルチ化粧具が得られる。
【０００７】
当該二機能部材が化粧軸に着脱自在に嵌合されてなるマルチ化粧具が得られる。
【０００８】
さらにまた、二機能部材の中間部外周にはＯリングが取り付けられており、このＯリングと離間した外壁に嵌合突起が形成されてなり、この嵌合突起に対応して化粧軸の内周には環状溝が形成されてなり、二機能部材が化粧軸に着脱自在に嵌合してなるマルチ化粧具が得られる。
【０００９】
さらにまた、化粧軸の両端から等距離の内周に同一の環状溝をそれぞれ形成すると共に、これらの環状溝のいずれかにペンシル部材を構成する先軸の嵌合突起と二機能部材の嵌合突起とをそれぞれ回転自在に嵌合してなるマルチ化粧具が得られる。
【００１０】
この発明によれば、ペンシル部材がアイブローを備え、かつ二機能部材が化粧軸内に収納されるシャープナーと、スクリュードライバーとを備えてなるマルチ化粧具が得られる。
【００１１】
この発明によれば、ペンシル部材がアイライナーを備え、かつ二機能部材が化粧軸内に収納されるシャープナーと、アイライナーチップとを備えてなるマルチ化粧具が得られる。
【００１２】
この発明によれば、ペンシル部材がリップライナーを備え、かつ二機能部材が化粧軸内に収納されるシャープナーと、リップブラシとを備えてなるマルチ化粧具が得られる。
【発明の効果】
【００１３】
この発明の効果として、マルチ化粧具が一本の化粧軸に設けられることによって三つの機能を具備しながらコンパクトにできる。なお、比較的使用頻度の低い化粧具であるシャープナーは通常化粧軸に内蔵されており、通常使用される化粧具はキャップを取り外すとただちに使用可能となる。
【００１４】
さらに、二機能部材をワンタッチで化粧軸に嵌合するだけの構造を採れば、ペンシル部材と同様に二機能部材も化粧軸のそれぞれの環状溝に回転自在に嵌合せしめることにより簡単に取り付けることができ、この組み立ての際に化粧軸の前後の方向性を問題にしないで組み立てられる利点がある。
【発明を実施するための最良の形態】
【００１５】
化粧軸の一端に棒状化粧品を繰り出すことができるペンシル部材と、他端に付属の化粧具を備えたマルチ化粧具において、上記他端の化粧具が互いに反対方向に設けられた化粧具からなる二機能部材を有し、この二機能部材が一体的に構成されかつ化粧軸に着脱自在に設けられてなる。
【実施例１】
【００１６】
この発明の実施例１を、図１〜図８を用いて説明する。図において、マルチ化粧具の本体を形成する筒状の化粧軸１は、前後両端にそれぞれ開口を有しており、前端開口からは棒状化粧品であるリップライナー２が回転操作により繰り出される。即ち、化粧軸１の前端にはペンシル部材３を構成する先細の先軸４が、化粧軸１に関して回転自在に設けられている。
【００１７】
この先軸４は、図３に示すように先細の筒状体からなり、前部内側に長手方向のガイドリブ４１を有し、中間部外側に嵌合突起４２を備え、この嵌合突起４２の近傍には嵌合凹部４３が形成されている。さらに、後端近傍には係止孔４４が形成されている。
【００１８】
そして、化粧軸１の前部内部にはペンシル部材３を構成する内部繰り出し機構が設けられている。この繰り出し機構は、上述した先軸４と、この先軸４の内側に設けられかつ内周に螺旋手段５１が形成されると共に後部に先軸４の係止孔４４に係止される係止突起５２とを備えた中軸５（図４）と、この中軸５の螺旋手段５１と係合する係合部６１とを有しかつ先端にリップライナー２の棒状物が装着可能な受け部６２を備えたスライダ６（図５）とから構成されている。なお、スライダ６の受け部６２は、上記先軸４のガイドリブ４１に係合して回り止め機能を付与するガイド溝６３が形成されている。
【００１９】
他方、化粧軸１の後端内周にはめねじ１１が形成されており、この化粧軸１にはこのめねじ１１と螺合するおねじ７１を有する二機能部材７が着脱自在に取り付けられている。より詳しく述べると、図６においてこの二機能部材７は接続部７２の前部には、通常化粧軸１に内蔵されている比較的使用頻度の低いシャープナー８を有し、その後部にはキャップ１０を外すと常時露出される比較的使用頻度の高いブラシ９を有している。即ち、二機能部材７は接続部７２を介して前後にシャープナー８とブラシ９とが一体的に構成されている。
【００２０】
なお、シャープナー８は、プラスチック製で、側壁の長手方向に削りかす排出用のスリット８１を有し、かつ図７に示すように奥方向に漸次径が小さくなる円錐形状の空隙部８２を有し、かつ最深部には図７に示すような小室８３を有することによって、ペンシル部材３の先軸４の開口から繰り出されたリップライナー２の先端を削る機能を付与する。なお、図中符号１０、１０は、ペンシル部材４と二機能部材７とにそれぞれ着脱自在に被嵌されたキャップである。
【００２１】
以下、実施例１によるマルチ化粧具の動作について説明する。まず前部のリップライナー２を繰り出して使用する場合は、キャップ１０がある場合はこのキャップ１０を外し、化粧軸１を持って先軸４を一方向に回動するとリップライナー２を繰り出すことができる。
【００２２】
即ち、先軸４を化粧軸１に関して回転すると、先軸４と一体的に組み込まれている中軸５がともに回転され、この中軸５の回転に伴って中軸５の螺旋溝５１に係合しているスライダ６の係合片６１によってスライダ６と共に回転しようとするが、スライダ６のガイド溝６３が先軸４内のガイドリブ４１に係合しているのでスライダ６の回転が阻止される。その結果、スライダ６が先軸４内を前進してリップライナー２が直進的に繰り出され、先軸４の先端開口から突出して使用可能となる。
【００２３】
次に、後部の二機能部材７のうちリップブラシ９を使用する場合はキャップ１０を外して、そのままそれを使用すれば良い。さらに、二機能部材７のシャープナー８を使用する場合には、この二機能部材７を回して螺合を解除し、これを一体として取り外し前端の繰り出されたアイライナー２の先端にシャープナー８を押し当てその空隙部８２内に挿入して、従来の鉛筆削りのように回転させながら先細に削るために使用することができる。
【００２４】
なお、図９および図１０は、上記実施例１の二機能部材７の変形例を示し、図９の二機能部材７は前部の化粧軸１内に収納されたシャープナー８と、後部の軟性チップ２０とから構成されてなり、この場合ペンシル部材３にはアイライナーが取り付けられる。図１０の二機能部材７は前部のシャープナー８と後部のスクリュードライバー３０とから構成されてなり、この場合ペンシル部材３にはアイブローが取り付けられる。
【実施例２】
【００２５】
次に、この発明の実施例２を、図１１〜図１３を用いて説明する。上記実施例１では、二機能部材７は化粧軸１に対して螺合により着脱自在とされていたが、この実施例２では嵌合により着脱自在とされている。なお、前部のペンシル部材３および二機能部材７のシャープナー８とは実施例１のものと同様であるので説明を省略する。
【００２６】
即ち、この発明の実施例２では、図１３に示すように、二機能部材７の中間部外周には溝を設け、その外周に弾性Ｏリング７３が取り付けられており、このＯリング７３に離間した外壁に２つの嵌合突起７４がそれぞれ形成されている。これらの嵌合突起７４に対応して、化粧軸１の内周には環状溝１２が形成され、嵌合突起７４が化粧軸１内に挿入されると環状溝１２内に回転自在に嵌合している。尚、弾性Ｏリング７３は化粧軸に対しては若干の溝を設けても良いし、設けなくても良い。
【００２７】
ところで、二機能部材７にＯリング７３を取り付けることによって、環状溝１２を利用した回転可能な嵌合構造にもかかわらず、化粧軸１に対して二機能部材７がぐらつかず、ぬめり感がえられて高級品とされる。また、このような嵌合方式を採用する場合に、図１０に示すように、化粧軸１の両端から等距離の内周に同一の嵌合溝１２をそれぞれ形成する。すると、これらの嵌合溝１２にペンシル部材３である先軸４の嵌合突起４２（図３参照）と二機能部材７の嵌合突起７４とをそれぞれ回転自在に嵌合することが出来る。従って、化粧軸１の前後に関係なく、ペンシル部材４と二機能部材７とを組み込むことができる利点がある。
【００２８】
即ち、図１２は一本の化粧軸１の両端から等距離の位置に幅及び深さの等しい環状溝１２がそれぞれ形成され、これらの環状溝１２にはペンシル部材３を構成する先軸４の突起４２と二機能部材７の嵌合突起７４とがそれぞれ回転自在に嵌合することが出来る。
【００２９】
なお、この嵌合についてキャップが被嵌されている場合を念のため述べると、ペンシル部材３の先軸４の嵌合突起４２及び二機能部材７の嵌合突起７４と、化粧軸１との嵌合強度は、それぞれキャップ１０、１０の化粧軸１との嵌合強度と比較していわゆる逆嵌合にならないように大きくしておけば、キャップ１０の取り外しによりペンシル部材３と二機能部材７とが化粧軸１から取り外されない。
【００３０】
さらに、図１４および図１５は、上記実施例１の二機能部材７の変形例を示し、図１４の二機能部材７は前部の化粧軸１内に収納されたシャープナー８と、後部の軟性チップ２０とから構成されてなり、この場合ペンシル部材３にはアイライナーが取り付けられる。図１５の二機能部材７は前部のシャープナー８と後部のスクリュードライバー３０とから構成されてなり、この場合ペンシル部材３にはアイブローが取り付けられる。
【００３１】
また、本発明のマルチ化粧具では、ペンシル部材３のスライダ６にアイブロー、アイライナー、アイシャドー、リップライナー等の棒状固形物を取り付け、二機能部材７の一方にはシャープナー、他方にはスクリュードライバー（化粧ブラシ）、アイライナーチップ、アイシャドーチップ、ブラシ（刷毛）等も用いることが可能である。
【図面の簡単な説明】
【００３２】
【図１】実施例１のマルチ化粧具の概略縦断面図である。
【図２】図１のマルチ化粧具の一方のキャップを取り除いた拡大縦断面図である。
【図３】図１の先軸を示す縦断面図である。
【図４】図１の中軸を示す縦断面図である。
【図５】図１のスライダを示す部分縦断面図である。
【図６】図１の二機能部材を示す正面図である。
【図７】図６のＡ−Ａ線に沿う横断面図である。
【図８】図１のシャープナー部分の縦断面図である。
【図９】二機能部材の変形例を示す正面図である。
【図１０】二機能部材の他の変形例を示す正面図である。
【図１１】実施例２のマルチ化粧具の一方のキャップを取り除いた概略縦断面図である。
【図１２】図１１の化粧軸を示す拡大縦断面図である。
【図１３】図１１の二機能部材を示す正面図である。
【図１４】二機能部材の変形例を示す正面図である。
【図１５】二機能部材の他の変形例を示す正面図である。
【符号の説明】
【００３３】
１：化粧軸
１１：めねじ
１２：環状溝
１３：係合片
２：リップライナー
３：ペンシル部材（先軸、中軸、スライダ）
４：先軸
４１：ガイドリブ
４２：嵌合突起
４３：嵌合凹部
４４：係止孔
５：中軸
５１：螺旋溝
５２：係合片
６：スライダ
６１：係止孔
６２：受け部
６３：ガイド溝
７：二機能部材
７１：おねじ
７２：接続部
７３：Ｏリング
７４：嵌合突起
８：シャープナー
８１：スリット
８２：空隙部
８３：小室
９：ブラシ
１０、１０：キャップ
２０：軟性チップ
３０：スクリュードライバー
【図１】
2005095466.tif 000003
【図２】
2005095466.tif 000004
【図３】
2005095466.tif 000005
【図４】
2005095466.tif 000006
【図５】
2005095466.tif 000007
【図６】
2005095466.tif 000008
【図７】
2005095466.tif 000009
【図８】
2005095466.tif 000010
【図９】
2005095466.tif 000011
【図１０】
2005095466.tif 000012
【図１１】
2005095466.tif 000013
【図１２】
2005095466.tif 000014
【図１３】
2005095466.tif 000015
【図１４】
2005095466.tif 000016
【図１５】
2005095466.tif 000017